(57)【要約】【課題】番組配列情報に含まれる周波数情報をそれぞれの伝送チャンネル分すべてを取得するためにＣＡＴＶの配信する伝送チャンネルすべてスキャンする必要があり、それぞれの伝送チャンネルを選択し受信チューナがチューニングしなければならなく、チャンネル選択に必要なチューニング時間がすべての伝送チャンネル分かかってしまう。【解決手段】ＣＡＴＶ放送の信号と地上デジタル再送信の信号とはＣＡＴＶの配信する伝送チャンネルにおいてそれぞれの放送の信号は同じ周波数で伝送されることがあり得ないことに注目して、おのおのの受信可能な周波数をスキャンする際に、どちらか一方の放送の信号で受信可能と判断した伝送チャンネルの周波数を記憶しておき、もう一方の放送の信号をサーチする際にその伝送チャンネルの周波数を除いてサーチする。【選択図】図２
2006254288.tif 000002
【特許請求の範囲】
【請求項１】
ＣＡＴＶ放送の信号と地上デジタル放送を伝送路変調方式を変更することなくＣＡＴＶの伝送路に送出される地上デジタル再送信信号の両方が受信可能な受信機であって、受信チャンネルを設定する際に受信可能な両放送の信号をサーチするスキャン時間を短縮できるサーチ手段を備えたテレビジョン放送受信機。
【請求項２】
ＣＡＴＶ放送の信号と地上デジタル放送を伝送路変調方式を変更することなくＣＡＴＶの伝送路に送出される地上デジタル再送信信号の両方が受信可能な受信機であって、ＢＳデジタル放送の信号を、伝送路変調方式を変更しＣＡＴＶ放送の伝送路変調方式に変換して再送信されるＢＳデジタル再送信信号がＣＡＴＶ放送の信号として伝送される伝送路にて、受信チャンネルを設定する際に受信可能な各放送の信号をサーチするスキャン時間を短縮できるサーチ手段を備えた請求項１記載のテレビジョン放送受信機。
【発明の詳細な説明】
【技術分野】
【０００１】
この発明は、ＣＡＴＶ放送、地上デジタル放送対応のセットトップボックスやテレビなどを代表とする放送受信機の選局サーチ機能を搭載した受信装置に関するものである。
【背景技術】
【０００２】
従来のテレビジョン放送受信機では、ＣＡＴＶの配信する伝送チャンネルをスキャンすることにより、地上波再送信信号の伝送チャンネルそれぞれについて番組配列情報に含まれる周波数情報と選択チューナが選択中の搬送周波数との対応情報を取得し、周波数情報変換テーブルとして登録する制御部を備えたデジタルテレビ受信機がある（例えば特許文献１参照。）。
【特許文献１】特許第３３３８８１０号公報（第３−４頁、第２図）
【発明の開示】
【発明が解決しようとする課題】
【０００３】
前記従来の周波数変換データ取得方法を備えたテレビジョン放送受信機では、番組配列情報に含まれる周波数情報をそれぞれの伝送チャンネル分すべてを取得するためにＣＡＴＶの配信する伝送チャンネルすべてスキャンする必要があり、それぞれの伝送チャンネルを選択し受信チューナがチューニングしなければならなく、チャンネル選択に必要なチューニング時間がすべての伝送チャンネル分かかってしまうという課題があった。具体的に図３を用いて説明する。ＣＡＴＶ放送の受信可能な伝送チャンネルをスキャンするためにステップＳ１〜Ｓ７を繰り返して全伝送チャンネルをスキャンした後、地上波再送信信号の受信可能な伝送チャンネルをスキャンするために、再度ステップＳ１〜Ｓ７を繰り返し、再び全伝送チャンネルをスキャンするため、全伝送チャンネル数をスキャン完了するまでにステップＳ１〜Ｓ７を実行するのに要する時間×全伝送チャンネル数×２回（ＣＡＴＶ放送の信号をスキャンする動作と地上波再送信信号をスキャンする動作）の時間を要してしまうという課題があった。
【課題を解決するための手段】
【０００４】
前記従来の課題を解決するために、本発明の請求項１記載のテレビジョン放送受信機は、ＣＡＴＶ放送の信号と地上デジタル再送信信号とはＣＡＴＶの配信する伝送チャンネルにおいてそれぞれの放送の信号は同じ周波数で伝送されることがあり得ないことに注目して、おのおのの受信可能な周波数をスキャンする際に、どちらか一方の放送の信号で受信可能と判断した伝送チャンネルの周波数を記憶しておき、もう一方の放送の信号をサーチする際にその伝送チャンネルの周波数を除いてサーチすることで使用初期段階時に実施する受信可能な伝送チャンネルのスキャン時間を短縮することができる機能を備えたことを特徴する。
【発明の効果】
【０００５】
以上のように、本発明のテレビジョン放送受信機は、おのおのの受信可能な周波数をスキャンする際に、どちらか一方の放送の信号で受信可能と判断した伝送チャンネルの周波数を記憶しておき、もう一方の放送の信号をサーチする際に、その伝送チャンネルの周波数を除いてサーチすることにより、使用初期段階時に実施する受信可能なチャンネルのサーチのスキャン時間を短縮することができる。
【発明を実施するための最良の形態】
【０００６】
使用初期段階時に実施する受信可能なチャンネルのスキャン時間を短縮するという目的を、ＣＡＴＶ放送の信号と地上デジタル再送信の信号とはＣＡＴＶの配信する伝送チャンネルにおいてそれぞれの放送の信号は同じ周波数で伝送されることがあり得ないことに注目して、おのおのの受信可能な周波数をスキャンする際に、どちらか一方の放送の信号で受信可能と判断した伝送チャンネルの周波数を記憶しておき、もう一方の放送の信号をサーチする際にその伝送チャンネルの周波数を除いてサーチするという方法を備えた。
（実施の形態１）
図１に本発明の実施の形態１におけるテレビジョン放送受信機のブロック図を示す。図１において、地上デジタル放送受信機９は、伝送路からのＣＡＴＶ放送の信号を受信して伝送チャンネルを選択しチューニングを行うチューナＡ１と、伝送路からの地上デジタル放送を伝送路変調方式を変更することなくＣＡＴＶの伝送路に送出された地上デジタル再送信信号を受信して伝送チャンネルを選択し、チューニングを行うチューナＢ３のそれぞれのチューナを搭載し、それぞれのチューナ出力信号の復調を行う復調部を備えている。なお、チューナはＣＡＴＶ放送の伝送チャンネルと地上デジタル再送信信号の伝送チャンネルとを受信できる一体化された一つのチューナで構成させる場合もあり得る。復調部Ａ２はＣＡＴＶ放送の伝送路変調方式に対応したＱＡＭ復調を行い、復調部Ｂ４は伝送路変調方式が変更されていない地上デジタル再送信信号の伝送路変調方式に対応したＯＦＤＭ復調を行う。それぞれの変調方式の信号は各復調部で復調された後、その出力であるトランスポートストリーム信号は、ＭＰＥＧ処理部５に入力され番組配列情報が取得されるとともに、映像・音声をデコードするためにＡＶデコード処理部６に入力され処理が行われ、映像・音声が出力される。また、マイコン７では、チューナＡ１およびチューナＢ３のチューニング制御処理と復調部Ａ２および復調部Ｂ４の制御処理と、ＭＰＥＧ処理部５の制御処理とＡＶデコード処理部６の制御処理とテレビジョン放送受信機９の全体の制御処理を行い、メモリー８はマイコン７にて制御処理を行ったチューニング制御および伝送チャンネルのスキャン結果の情報等を格納する。以上のブロックで、テレビジョン放送受信機９が構成される。
【０００７】
以上のように構成されたテレビジョン受信機９について、図２を用いてテレビジョン放送受信機９で行う伝送チャンネルのスキャン方法について説明する。まず、伝送路より入力されたＣＡＴＶ放送の信号で受信可能な伝送チャンネルのスキャンを行うためにマイコン７からのチューニング制御処理によりチューナＡ１を制御し、ＶＨＦローバンドの一番低い伝送チャンネルの周波数より順に、ミッドバンド→ＶＨＦハイバンド→スーパーハイバンドＵＨＦバンドへと伝送チャンネルごとにスキャンを開始する（ステップＳ１１）。チューナＡ１にて伝送チャンネルがチューニングされるまで一定時間のＷａｉｔをおき（ステップＳ１２）、その後マイコン７からの制御により、チューナＡ１にてチューニングされ選択された信号が復調部Ａ２に入力され、その信号が同期確立できるかどうかを判定する（ステップＳ１３）。復調部Ａ２で伝送チャンネルが同期確立できた場合は、その同期確立できた伝送チャンネルの周波数を、マイコン７を経由してメモリー８に記憶させる（ステップＳ１４）。もし、復調部Ａ２で伝送チャンネルが同期確立できない場合は、その伝送チャンネルの周波数をメモリー８に記憶させずにステップＳ１４をパスさせる。次ステップとして、次の周波数の高いほうに向かって伝送チャンネルの選択を行なっていくが、全伝送チャンネルのスキャンが完了できたかどうかを判断する（ステップＳ１５）。全伝送チャンネルのスキャンが完了していない場合は、ステップＳ１６に進み、周波数の高いほうに向かって次伝送チャンネルを選択する（ステップＳ１６）。その後、ステップＳ１２に進み、前記同様に、ステップＳ１２からステップＳ１６を繰り返す。そして、全伝送チャンネルのスキャンが完了した場合には、ステップＳ２０に進む。以上にてＣＡＴＶ放送の伝送チャンネルのスキャンが完了し、次に、ＣＡＴＶの伝送路に送出されている地上波デジタル再送信信号の伝送チャンネルのスキャンを行う。伝送路より入力された地上波デジタル再送信の受信可能な伝送チャンネルのスキャンを行うためにマイコン７からのチューニング制御処理によりチューナＢ３を制御し、ＶＨＦローバンドの一番低い伝送チャンネルの周波数より順に、ミッドバンド→ＶＨＦハイバンド→スーパーハイバンドＵＨＦバンドへと伝送チャンネルごとにスキャンを開始する（ステップＳ２０）。ここでマイコン７よりチューナＢ３を制御処理する際に、前述のＣＡＴＶ放送の信号のスキャン時にチューナＡ１で選択した伝送チャンネルが復調部Ａ３にて同期確立できなかったチャンネルかどうかを、マイコン７を介してメモリー８に記憶されていない周波数かどうか、すなわちＣＡＴＶ放送の信号のスキャン時に同期確立できなかった伝送チャンネルかどうかを判断する（ステップＳ２１）。もし、マイコン７からのチューニング制御処理によりチューナＢ３で選択しようとしている伝送チャンネルの周波数が、ＣＡＴＶ放送の信号のスキャン時に同期確立ができた伝送チャンネルの周波数、すなわちメモリー８に記憶された周波数である場合には、その伝送チャンネルではＣＡＴＶ放送の信号が存在するため地上波デジタル再送信信号は伝送されていることがあり得ないため、その伝送チャンネルのチューナＢ３へのチューニング制御処理は行わずに周波数の高いほうに向かって次伝送チャンネルを選択するためにステップＳ２６に進む。もし、マイコン７からのチューニング制御処理によりチューナＢ３で選択しようとしている伝送チャンネルの周波数が、ＣＡＴＶ放送の信号のスキャン時に同期確立ができなかった伝送チャンネルの周波数、すなわちメモリー８に記憶されていない周波数である場合には、その伝送チャンネルではＣＡＴＶ放送の信号以外の伝送チャンネルが伝送されている可能性があるため、その伝送チャンネルに対し、チューナＢ３へのチューニング制御処理を行う必要があるため、マイコン７よりチューナＢ３へチューニング制御処理を行い、一定時間Ｗａｉｔをおく（ステップＳ２２）。次にマイコン７からの制御により、チューナＢ３にてチューニングされ選択された信号が復調部Ｂ４に入力され、その信号が同期確立できるかどうかを判定する（ステップＳ２３）。復調部Ｂ４で伝送チャンネルが同期確立できた場合は、その同期確立できた伝送チャンネルの周波数を、マイコン７を経由してメモリー８に記憶させる（ステップＳ２４）。もし、復調部Ｂ４で伝送チャンネルが同期確立できない場合は、その伝送チャンネルの周波数をメモリー８に記憶させずにステップＳ２４をパスさせる。次ステップとして、次の周波数の高いほうに向かって伝送チャンネルの選択を行なっていくが、全伝送チャンネルのスキャンが完了できたかどうかを判断する（ステップＳ２５）。全伝送チャンネルのスキャンが完了していない場合は、ステップＳ２６に進み、周波数の高いほうに向かって次伝送チャンネルを選択する（ステップＳ２６）。その後、ステップＳ２１に進み、前記同様に、ステップＳ２１からステップＳ２６を繰り返す。そして、全伝送チャンネルのスキャンが完了した場合には、地上波デジタル再送信信号の伝送チャンネルのスキャンをも完了し、以上により全伝送チャンネルのスキャンを完了する。
（実施の形態２）
本発明の実施の形態２について説明するが、実施の形態１と構成が同じであるため図１を用いて説明する。図１において、地上デジタル放送受信機９は、伝送路からのＣＡＴＶ放送の信号およびＢＳデジタル放送の信号を、伝送路変調方式を変更しＣＡＴＶ放送の伝送路変調方式に変換して再送信されるＢＳデジタル再送信信号とを受信して伝送チャンネルを選択し、チューニングを行うチューナＡ１と、伝送路からの地上デジタル放送を伝送路変調方式を変更することなくＣＡＴＶの伝送路に送出された地上デジタル再送信信号を受信して伝送チャンネルを選択しチューニングを行うチューナＢ３のそれぞれのチューナを搭載しそれぞれのチューナ出力信号の復調を行う復調部を備えている。なお、チューナはＣＡＴＶ放送の伝送チャンネルと地上デジタル再送信信号の伝送チャンネルとを受信できる一体化された一つのチューナで構成される場合もあり得る。復調部Ａ２はＣＡＴＶ放送の伝送路変調方式に対応したＱＡＭ復調を行い、復調部Ｂ４は伝送路変調方式が変更されていない地上デジタル再送信信号の伝送路変調方式に対応したＯＦＤＭ復調を行う。それぞれの変調方式の信号は各復調部で復調された後、その出力であるトランスポートストリーム信号は、ＭＰＥＧ処理部５に入力され番組配列情報が取得されるとともに、映像・音声をデコードするためにＡＶデコード処理部６に入力され処理が行われ、映像・音声が出力される。また、マイコン７では、チューナＡ１およびチューナＢ３のチューニング制御処理と復調部Ａ２および復調部Ｂ４の制御処理と、ＭＰＥＧ処理部５の制御処理とＡＶデコード処理部６の制御処理とテレビジョン放送受信機９の全体の制御処理を行い、メモリー８はマイコン７にて制御処理を行ったチューニング制御および伝送チャンネルのスキャン結果の情報等を格納する。以上のブロックで、テレビジョン放送受信機９が構成される。
【０００８】
以上のように構成されたテレビジョン放送受信機９について、実施の形態１と同じ図２を用いてテレビジョン放送受信機９で行う伝送チャンネルのスキャン方法について説明する。まず、伝送路より入力されたＣＡＴＶ放送の信号およびＢＳデジタル放送の信号を、伝送路変調方式を変更しＣＡＴＶ放送の伝送路変調方式に変換して再送信されるＢＳデジタル再送信信号で受信可能な伝送チャンネルのスキャンを行うためにマイコン７からのチューニング制御処理によりチューナＡ１を制御し、ＶＨＦローバンドの一番低い伝送チャンネルの周波数より順に、ミッドバンド→ＶＨＦハイバンド→スーパーハイバンドＵＨＦバンドへと伝送チャンネルごとにスキャンを開始する（ステップＳ１１）。チューナＡ１にて伝送チャンネルがチューニングされるまで一定時間のＷａｉｔをおき（ステップＳ１２）、その後マイコン７からの制御により、チューナＡ１にてチューニングされ選択された信号が復調部Ａ２に入力され、その信号が同期確立できるかどうかを判定する（ステップＳ１３）。復調部Ａ２で伝送チャンネルが同期確立できた場合は、その同期確立できた伝送チャンネルの周波数を、マイコン７を経由してメモリー８に記憶させる（ステップＳ１４）。もし、復調部Ａ２で伝送チャンネルが同期確立できない場合は、その伝送チャンネルの周波数をメモリー８に記憶させずにステップＳ１４をパスさせる。次ステップとして、次の周波数の高いほうに向かって伝送チャンネルの選択を行なっていくが、全伝送チャンネルのスキャンが完了できたかどうかを判断する（ステップＳ１５）。全伝送チャンネルのスキャンが完了していない場合は、ステップＳ１６に進み、周波数の高いほうに向かって次伝送チャンネルを選択する（ステップＳ１６）。その後、ステップＳ１２に進み、前記同様に、ステップＳ１２からステップＳ１６を繰り返す。ここで、全伝送チャンネルをスキャンを実施していく中で、復調部Ａ２で復調されたトランスポートストリーム信号がＭＰＥＧ処理部５に入力され番組配列情報を取得し、その番組配列情報の中にＢＳデジタル再送信信号であるという情報をスキャン開始後に初めて取得した場合には、その番組配列情報には伝送路に伝送されているＢＳデジタル再送信信号の伝送チャンネルのすべての伝送チャンネルに対する周波数情報が送られているため、番組配列情報から得たＢＳデジタル再送信信号の伝送周波数に相当する伝送チャンネルを同期確立ができたと判断してその伝送チャンネルの周波数をメモリー８に記憶させる。かつ、この番組配列情報により得られた伝送チャンネルにはＢＳデジタル再送信信号が伝送されているため、ＣＡＴＶ放送の信号が伝送されていることがあり得ないため、ステップＳ１６で次伝送チャンネルを選択する際に、番組配列情報から得たＢＳデジタル再送信信号の伝送周波数に相当する伝送チャンネルはスキップさせる。そして、全伝送チャンネルのスキャンが完了した場合には、ステップＳ２０に進む。以上にてＣＡＴＶ放送の伝送チャンネルのスキャンが完了し、次に、ＣＡＴＶの伝送路に送出されている地上波デジタル再送信信号の伝送チャンネルのスキャンを行う。伝送路より入力された地上波デジタル再送信の受信可能な伝送チャンネルのスキャンを行うためにマイコン７からのチューニング制御処理によりチューナＢ３を制御し、ＶＨＦローバンドの一番低い伝送チャンネルの周波数より順に、ミッドバンド→ＶＨＦハイバンド→スーパーハイバンドＵＨＦバンドへと伝送チャンネルごとにスキャンを開始する（ステップＳ２０）。ここでマイコン７よりチューナＢ３を制御処理する際に、前述のＣＡＴＶ放送の信号のスキャン時にチューナＡ１で選択した伝送チャンネルが復調部Ａ３にて同期確立できなかったチャンネルかどうかを、マイコン７を介してメモリー８に記憶されていない周波数かどうか、すなわちＣＡＴＶ放送の信号のスキャン時に同期確立できなかった伝送チャンネルかどうかを判断する（ステップＳ２１）。もし、マイコン７からのチューニング制御処理によりチューナＢ３で選択しようとしている伝送チャンネルの周波数が、ＣＡＴＶ放送の信号のスキャン時に同期確立ができた伝送チャンネルの周波数、すなわちメモリー８に記憶された周波数である場合には、その伝送チャンネルではＣＡＴＶ放送の信号が存在するため地上波デジタル再送信信号は伝送されていることがあり得ないため、その伝送チャンネルのチューナＢ３へのチューニング制御処理は行わずに周波数の高いほうに向かって次伝送チャンネルを選択するためにステップＳ２６に進む。もし、マイコン７からのチューニング制御処理によりチューナＢ３で選択しようとしている伝送チャンネルの周波数が、ＣＡＴＶ放送の信号のスキャン時に同期確立ができなかった伝送チャンネルの周波数、すなわちメモリー８に記憶されていない周波数である場合には、その伝送チャンネルではＣＡＴＶ放送の信号以外の伝送チャンネルが伝送されている可能性があるため、その伝送チャンネルに対し、チューナＢ３へのチューニング制御処理は行う必要があるためマイコン７よりチューナＢ３へチューニング制御処理を行い、一定時間Ｗａｉｔをおく（ステップＳ２２）。次にマイコン７からの制御により、チューナＢ３にてチューニングされ選択された信号が復調部Ｂ４に入力され、その信号が同期確立できるかどうかを判定する（ステップＳ２３）。復調部Ｂ４で伝送チャンネルが同期確立できた場合は、その同期確立できた伝送チャンネルの周波数を、マイコン７を経由してメモリー８に記憶させる（ステップＳ２４）。もし、復調部Ｂ４で伝送チャンネルが同期確立できない場合は、その伝送チャンネルの周波数をメモリー８に記憶させずにステップＳ２４をパスさせる。次ステップとして、次の周波数の高いほうに向かって伝送チャンネルの選択を行なっていくが、全伝送チャンネルのスキャンが完了できたかどうかを判断する（ステップＳ２５）。全伝送チャンネルのスキャンが完了していない場合は、ステップＳ２６に進み、周波数の高いほうに向かって次伝送チャンネルを選択する（ステップＳ２６）。その後、ステップＳ２１に進み、前記同様に、ステップＳ２１からステップＳ２６を繰り返す。そして、全伝送チャンネルのスキャンが完了した場合には、地上波デジタル再送信信号の伝送チャンネルのスキャンも完了し、以上により全伝送チャンネルのスキャンを完了する。
【産業上の利用可能性】
【０００９】
本発明のテレビジョン放送受信機は、おのおのの受信可能な周波数をスキャンする際に、どちらか一方の放送の信号で受信可能と判断した伝送チャンネルの周波数を記憶しておき、もう一方の放送の信号をサーチする際にその伝送チャンネルの周波数を除いてサーチすることにより、使用初期段階時に実施する受信可能なチャンネルのサーチのスキャン時間を短縮することができる作用を有しており、ＣＡＴＶ放送、地上デジタル放送対応のセットトップボックスやテレビなどを代表とする放送受信機の選局サーチ機能を搭載した受信装置の機能として有用である。
【図面の簡単な説明】
【００１０】
【図１】本発明のテレビジョン放送受信機のブロック図
【図２】本発明のテレビジョン放送受信機で行う伝送チャンネルのスキャン方法のフローチャート
【図３】従来の周波数変換データ取得方法を備えたテレビジョン放送受信機のスキャン方法のフローチャート
【符号の説明】
【００１１】
１    チューナＡ
２    復調部Ａ
３    チューナＢ
４    復調部Ｂ
５    ＭＰＥＧ処理部
６    ＡＶデコード処理部
７    マイコン
８    メモリー
９    テレビジョン放送受信機
【図１】
2006254288.tif 000003
【図２】
2006254288.tif 000004
【図３】
2006254288.tif 000005